(57)【要約】【課題】装飾可動部材が発光部材に対して移動した場合であっても、装飾可動部材の透光部を適切に発光させることができる遊技機の可動演出装置を提供する。【解決手段】前面及び側面を発光させることが可能な発光部材３２０と、発光部材３２０の前面を覆うことが可能な透光部３３４ｃを有し、透光部３３４ｃが発光部材３２０の前面を覆う第一の位置から透光部３３４ｃが発光部材３２０と重複しない第二の位置に移動可能な第四可動役物３３４と、第四可動役物３３４を移動させる伝達モータ２５０とを具備し、発光部材３２０は、伝達モータ２５０により第四可動役物３３４が第二の位置に移動された場合に、側面からの光を発光部材３２０と重複しない状態の透光部３３４ｃに導くように、側面が発光部材３２０と重複しない状態の透光部３３４ｃと対峙するように傾斜する。【選択図】図３４
2015003208.tif 000002
【特許請求の範囲】
【請求項１】
前面及び側面を発光させることが可能な発光部材と、
前記発光部材の前面を覆うことが可能な透光部を有し、前記透光部が前記発光部材の前面を覆う第一の位置から前記透光部が前記発光部材と重複しない第二の位置に移動可能な装飾可動部材と、
前記装飾可動部材を移動させる駆動源とを具備し、
前記発光部材は、前記駆動源により前記装飾可動部材が前記第二の位置に移動された場合に、前記側面からの光を前記発光部材と重複しない状態の前記透光部に導くように、前記側面が前記発光部材と重複しない状態の前記透光部と対峙するように傾斜することを特徴とする遊技機の可動演出装置。
【発明の詳細な説明】
【技術分野】
【０００１】
本発明は、装飾された装飾可動部材を移動させることで演出を行う遊技機の可動演出装置の技術に関する。
【背景技術】
【０００２】
従来、装飾された可動部材を移動させることで演出を行う遊技機の可動演出装置の技術は公知となっている。例えば、特許文献１に記載の如くである。
【０００３】
特許文献１に記載の可動演出装置では、２つの演出用の可動部材同士が近接及び離間する方向に移動可能に構成されるとともに、各可動部材の内部には発光部材（電飾基板）が配置され、当該各可動部材を発光させるように構成されている。このような可動演出装置において、発光する２つの可動部材を移動させることで、演出を行うことができる。
【先行技術文献】
【特許文献】
【０００４】
【特許文献１】特開２００９−１０６５７７号公報
【発明の概要】
【発明が解決しようとする課題】
【０００５】
本発明は上記の如き状況に鑑みてなされたものであり、その解決しようとする課題は、装飾可動部材が発光部材に対して移動した場合であっても、装飾可動部材の透光部を適切に発光させることができる遊技機の可動演出装置を提供するものである。
【課題を解決するための手段】
【０００６】
本発明の解決しようとする課題は以上の如くであり、次にこの課題を解決するための手段を説明する。
【０００７】
即ち、請求項１においては、前面及び側面を発光させることが可能な発光部材と、前記発光部材の前面を覆うことが可能な透光部を有し、前記透光部が前記発光部材の前面を覆う第一の位置から前記透光部が前記発光部材と重複しない第二の位置に移動可能な装飾可動部材と、前記装飾可動部材を移動させる駆動源とを具備し、前記発光部材は、前記駆動源により前記装飾可動部材が前記第二の位置に移動された場合に、前記側面からの光を前記発光部材と重複しない状態の前記透光部に導くように、前記側面が前記発光部材と重複しない状態の前記透光部と対峙するように傾斜するものである。
【発明の効果】
【０００８】
本発明の効果として、以下に示すような効果を奏する。
【０００９】
請求項１においては、装飾可動部材が発光部材に対して移動した場合であっても、装飾可動部材の透光部を適切に発光させることができる。
【図面の簡単な説明】
【００１０】
【図１】本発明の一実施形態に係る可動演出装置を備えた遊技機の正面図。
【図２】同じく、遊技機の窓枠が開放された状態を示した前方斜視図。
【図３】同じく、遊技盤を示した正面図。
【図４】可動演出装置を示した正面図。
【図５】同じく、背面図。
【図６】同じく、背面斜視図。
【図７】可動部を示した背面図。
【図８】駆動機構を示した背面図。
【図９】駆動機構の左側を示した拡大背面図。
【図１０】同じく駆動機構の右側を示した拡大背面図。
【図１１】図９におけるＸ−Ｘ断面図。
【図１２】可動部移動手段を示した背面図。
【図１３】伝達機構を示した背面分解斜視図。
【図１４】同じく、正面分解斜視図。
【図１５】近接状態における可動部及び駆動機構を示した背面図。
【図１６】（ａ）近接状態における駆動機構を示した背面図。（ｂ）同じく、正面図。
【図１７】離間状態における可動部移動手段を示した背面図。
【図１８】離間状態における可動演出装置を示した正面図。
【図１９】同じく、背面図。
【図２０】離間状態における遊技盤を示した正面図。
【図２１】離間状態における可動部及び駆動機構を示した背面図。
【図２２】（ａ）離間状態における駆動機構を示した背面図。（ｂ）同じく、正面図。
【図２３】（ａ）役物作動状態における駆動機構を示した背面図。（ｂ）同じく、正面図。
【図２４】役物作動状態における可動部及び駆動機構を示した背面図。
【図２５】役物作動状態における可動部を示した背面図。
【図２６】同じく、駆動機構を示した背面図。
【図２７】同じく、可動演出装置を示した正面図。
【図２８】同じく、背面図。
【図２９】役物作動状態における遊技盤を示した正面図。
【図３０】（ａ）近接状態における駆動機構の動作の様子を示した正面図。（ｂ）離間状態における駆動機構の動作の様子を示した正面図。
【図３１】（ａ）近接状態において可動役物を作動させた様子を示した正面図。（ｂ）離間状態において可動役物を作動させた様子を示した正面図。
【図３２】装飾部材を移動させる駆動機構の様子を示した背面図。
【図３３】（ａ）他の実施形態に係る可動役物の各可動部材が移動する前の様子を示した正面図。（ｂ）同じく、各可動部材が移動した後の様子を示した正面図。
【図３４】（ａ）他の実施形態に係る発光部材及び第三可動部材を示した正面図。（ｂ）同じく、Ｙ−Ｙ断面図。
【発明を実施するための形態】
【００１１】
まず、本発明に係る遊技機の可動演出装置の一実施形態である可動演出装置１００を備える遊技機１の全体的な構成について、図１から図３を用いて説明する。
なお、以下の説明では、遊技機１を遊技者から見て、手前側を遊技機１の前側とし、奥側を遊技機１の後側として、前後方向を規定する。また、遊技機１を遊技者から見て、左手側を遊技機１の左側とし、右手側を遊技機１の右側として、左右方向を規定する。
【００１２】
遊技機１は、図１から図３が示すように、主として、外枠２と、中枠３と、窓枠４と、により構成される枠体に、各種の遊技部品が取り付けられて形成される。
【００１３】
外枠２は、遊技機１の外郭を成し、前後面が開口された略四角筒状に形成される枠体である。外枠２は、パチンコホール等の遊技場に設けられた台島に設置される。外枠２には、中枠３が設けられる。
【００１４】
中枠３は、前後面が開口された略四角筒状に形成される枠体である。中枠３は、外枠２の前側の開口部にヒンジ等の軸支部材を介して回動可能に支持される。中枠３には、窓枠４と、下皿ユニット５と、遊技盤６と、が設けられる。
【００１５】
窓枠４は、中央が開口された略平板状に形成される枠体である。窓枠４は、正面視で中枠３の下部を除く略全面に渡って配置される。窓枠４は、中枠３の前側の開口部にヒンジ部材を介して回動可能に支持される。窓枠４の中央には、正面視で略円形状の窓枠開口部７が形成される。窓枠開口部７は、透明板１９により被覆される。窓枠開口部７の下部には、発射前の遊技球が貯溜される上皿８が配設される。窓枠開口部７の左右上方には、スピーカ９がそれぞれ配設される。
【００１６】
下皿ユニット５は、中枠３の下部であって窓枠４の下方に取り付けられる。下皿ユニット５の中央には、上皿８から溢れた遊技球が貯溜される下皿１７が配設される。下皿ユニット５の右部であって下皿１７の右方には、発射ハンドル１８が配設される。発射ハンドル１８は、上皿８に貯溜された遊技球を発射可能に構成される。
【００１７】
遊技盤６は、遊技球が転動する領域である遊技領域２５が形成される部材である。遊技盤６は、窓枠４の後方であって、正面視で中枠３の下部を除く略全面に渡って配置される。遊技盤６は、中枠３に着脱可能に取り付けられる。なお、遊技盤６の遊技領域２５は、窓枠４の窓枠開口部７の後方に配置され、前方から透明板１９を介して視認可能に構成される。
【００１８】
次に、遊技盤６の構成について、図３を用いてさらに詳細に説明する。
【００１９】
遊技盤６は、図３に示すように、遊技板１０と、ガイドレール１１と、センター役物１２と、図柄表示装置１３と、可変入賞装置１４と、大入賞装置１５と、アウト口１６と、可動演出装置１００等により構成される。
【００２０】
遊技板１０は、四隅が適宜に切り欠かれた略平板状に形成される部材である。遊技板１０には、遊技盤６を構成する各種の遊技部品が取り付けられる。
【００２１】
ガイドレール１１は、略円弧帯状に形成される部材である。ガイドレール１１は、遊技板１０に、前方へ向けて立ち上がり状に取り付けられる。ガイドレール１１は、正面視で略円形状を形成するように配置される。なお、遊技板１０においてガイドレール１１によって略円形状に形成された内側の領域が、遊技球が転動する領域である遊技領域２５として構成される。
【００２２】
センター役物１２は、その外観により遊技板１０を装飾する部材である。センター役物１２は正面視で略環状であって、その中央にセンター開口部２７が前後方向に貫通して形成される。センター役物１２は、遊技板１０を前後方向に貫通するように当該遊技板１０の中央から上部に渡って形成される孔に前方から挿入され、ボルト等によって取り付けられる。
【００２３】
図柄表示装置１３は、前方を臨むように配設された液晶画面２６に図柄や数字等の変動（図柄遊技）を表示するように構成される装置である。図柄表示装置１３は、遊技板１０の後方に配置される。より詳細には、図柄表示装置１３の液晶画面２６が、遊技板１０に取り付けられたセンター役物１２のセンター開口部２７の後方に配置される。これによって、前方からセンター開口部２７を介して液晶画面２６に表示される図柄遊技を視認することができる。
【００２４】
可変入賞装置１４は、所定の作動条件に応じて左右一対の可動片２８が開閉作動し、始動入賞口１４ａに遊技球が入球（入賞）可能な開放状態と入球（入賞）不能な閉塞状態とに切り替え可能に構成される装置である。可変入賞装置１４は、遊技領域２５の左右中央部であってセンター役物１２の下方に配置される。なお、可変入賞装置１４は、前記開放状態において始動入賞口１４ａに遊技球が入球（入賞）すると図示せぬ賞球払出装置によって所定数の遊技球（賞球）が払い出されるように構成される。
【００２５】
大入賞装置１５は、所定の大当たり抽選により大当たりが選択されると、大入賞口１５ａを開放して遊技球が入球（入賞）可能に構成される装置である。大入賞装置１５は、遊技領域２５の左右中央部であって可変入賞装置１４の下方に配置される。なお、大入賞装置１５は、開放した大入賞口１５ａに遊技球が入球すると図示せぬ賞球払出装置によって所定数の遊技球（賞球）が払い出されるように構成される。
【００２６】
アウト口１６は、遊技領域２５を転動する遊技球が、大入賞口１５ａや始動入賞口１４ａ等の各入賞口に入球（入賞）しなかった場合に、最終的に流入する開口部である。アウト口１６は、遊技領域２５の最下部に配置される。なお、アウト口１６に流入した遊技球は、遊技機１が設置されたパチンコホール等の遊技場側に回収される。
【００２７】
次に、可動演出装置１００の構成について詳細に説明する。
【００２８】
図３から図５までに示す可動演出装置１００は、液晶画面２６に表示される図柄遊技に応じて可動し、遊技者に視覚的な印象（インパクト）を与えるためのものである。可動演出装置１００は、液晶画面２６の上部前方に配置されるとともに、前後方向においてセンター役物１２と液晶画面２６との間、すなわちセンター役物１２よりも後方であって液晶画面２６よりも前方に配置される。可動演出装置１００は、主として、固定部２００と、可動部３００と、可動部移動手段４００（図１２等を参照）と、伝達機構６００（図１５等を参照）と、により構成される。
【００２９】
まず、固定部２００の構成について説明する。
【００３０】
図４から図６までに示す固定部２００は、遊技盤６に固定され、後述する可動部３００等を支持するためのものである。固定部２００は、主として固定側本体２１０、移動モータ支持部２２０、伝達モータ支持部２３０、スライド機構２４０及び伝達モータ２５０等を具備する。
【００３１】
図４、図５及び図１２に示す固定側本体２１０は、略直方体状の箱状の部材である。固定側本体２１０は、適宜遊技盤６に固定される。
固定側本体２１０の背面には、後方に向けて案内軸２１１・２１１が突設される。案内軸２１１・２１１は、固定側本体２１０の上下略中央部に、左右方向に互いに所定間隔をあけて配置される。
【００３２】
図５、図１３及び図１４に示す移動モータ支持部２２０は、板材を適宜折り曲げて形成される部材である。移動モータ支持部２２０は、固定側本体２１０の背面に固定される。
【００３３】
図５に示す伝達モータ支持部２３０は、板材を適宜折り曲げて形成される部材である。伝達モータ支持部２３０は、移動モータ支持部２２０の背面の左右略中央部に固定される。
【００３４】
図５及び図６に示すスライド機構２４０は、主として固定スライド部材２４１及び可動スライド部材２４２等を具備する。
【００３５】
固定スライド部材２４１は、板材を適宜折り曲げて形成される部材である。固定スライド部材２４１は、移動モータ支持部２２０の背面における伝達モータ支持部２３０の右側方に固定される。
【００３６】
可動スライド部材２４２は、板材を適宜折り曲げて形成される部材である。可動スライド部材２４２は、固定スライド部材２４１に対して斜め方向（右上方向から左下方向）に摺動可能となるように設けられる。
【００３７】
図５、図１３及び図１４に示す伝達モータ２５０は駆動源となるものである。伝達モータ２５０は、その出力軸２５１を前方に向けた状態で、伝達モータ支持部２３０に固定される。
【００３８】
次に、可動部３００の構成について説明する。
【００３９】
図４から図１１までに示す可動部３００は、移動及び発光することにより演出を行い、遊技者に印象（インパクト）を与えるためのものである。可動部３００は、主として可動側本体３１０、発光部材３２０、可動役物３３０、駆動機構３４０及び運動部３６０等を具備する。
【００４０】
図６及び図７に示す可動側本体３１０は、略矩形板状の部材であり、その長手方向を左右方向に向けて配置される。
可動側本体３１０の右下端部及び左右略中央下端部には、それぞれ当該可動側本体３１０を前後方向に貫通する長孔３１１・３１１が形成される。当該長孔３１１・３１１は、その長手方向を左右方向に向けて形成される。
可動側本体３１０の背面には、後方に向けて案内軸３１２・３１２が突設される。案内軸３１２・３１２は、可動側本体３１０の上下略中央部に、左右方向に互いに所定間隔をあけて配置される。
可動側本体３１０の背面下部は、固定部２００のスライド機構２４０の可動スライド部材２４２に固定され、当該可動スライド部材２４２に支持される。
【００４１】
図７から図１１までに示す発光部材３２０は、光を照射するためのものである。発光部材３２０は、略直方体状に形成される。発光部材３２０は可動側本体３１０の前方に配置され、当該可動側本体３１０に適宜固定される。発光部材３２０（特に当該発光部材３２０の前面）は透光性を有する部材で構成される。発光部材３２０の内部には発光手段（例えば、ＬＥＤ基板等）が適宜配置され、当該発光手段を発光させることにより、発光部材３２０の前方等に光を照射することができる。
発光部材３２０の背面には、複数の案内軸３２１・３２１・・・及び２つの回動軸３２２・３２２が後方に向けて適宜の位置に突設される。
【００４２】
図４及び図７から図１１までに示す可動役物３３０は、移動することにより演出を行い、遊技者に印象（インパクト）を与えるためのものである。可動役物３３０は、主として第一可動部材３３１、第二可動部材３３２、第三可動部材３３３、第四可動部材３３４、第五可動部材３３５、第一固定部材３３６及び第二固定部材３３７等を具備する。
【００４３】
図４、図９及び図１１に示す第一可動部材３３１は、発光部材３２０の一部を前方及び側方から覆うものである。第一可動部材３３１は、主として前面部３３１ａ、側面部３３１ｂ及び透光部３３１ｃ等を具備する。
【００４４】
前面部３３１ａは、略平板状の部分であり、その板面を前後方向に向けて、発光部材３２０の前方に配置される。
側面部３３１ｂは、略平板状の部分であり、前面部３３１ａの左端、上端及び下端からそれぞれ後方に向けて突設される。側面部３３１ｂの後端は、前後方向において発光部材３２０の後端よりも後方まで延設される。
このように構成された前面部３３１ａ及び側面部３３１ｂによって、発光部材３２０の一部（より詳細には、発光部材３２０の左端部）は前方及び側方から覆われる。
【００４５】
なお、本発明において発光部材３２０を「覆う」とは、当該発光部材３２０の前方及び側方に隙間無く可動役物３３０（より詳細には、第一可動部材３３１、第二可動部材３３２等）を配置することだけでなく、当該発光部材３２０の前方又は側方の一部に可動役物３３０を配置することも含むものとする。
【００４６】
図４に示す透光部３３１ｃは、光透過性を有する部分であり、前面部３３１ａに設けられる。透光部３３１ｃにおいては、前面部３３１ａの後方から前方へと光を透過させることが可能である。透光部３３１ｃは、正面視においてアルファベットの「Ａ」の文字の一部の形状を形成する。
【００４７】
図４及び図７から図９までに示す第二可動部材３３２は、発光部材３２０の一部を前方及び側方から覆うものである。
第二可動部材３３２は、第一可動部材３３１と同様に前面部及び側面部を具備し、発光部材３２０の一部（より詳細には、発光部材３２０の左端部近傍下部）を前方及び側方から覆う。
第二可動部材３３２の前面部には透光部が設けられ、当該透光部は正面視においてアルファベットの「Ａ」の文字の一部の形状を形成する。
【００４８】
第三可動部材３３３は、発光部材３２０の一部を前方及び側方から覆うものである。
第三可動部材３３３は、第一可動部材３３１と同様に前面部及び側面部を具備し、発光部材３２０の一部（より詳細には、発光部材３２０の左右略中央下部）を前方及び側方から覆う。
第三可動部材３３３の前面部には透光部が設けられ、当該透光部は正面視においてアルファベットの「Ｂ」の文字の一部の形状を形成する。
【００４９】
図４、図７、図８及び図１０に示す第四可動部材３３４は、発光部材３２０の一部を前方及び側方から覆うものである。
第四可動部材３３４は、第一可動部材３３１と同様に前面部及び側面部を具備し、発光部材３２０の一部（より詳細には、発光部材３２０の左右略中央の上部から下部まで）を前方及び側方から覆う。
第四可動部材３３４の前面部には透光部が設けられ、当該透光部は正面視においてアルファベットの「Ｂ」の文字の一部の形状を形成する。
【００５０】
第五可動部材３３５は、発光部材３２０の一部を前方及び側方から覆うものである。
第五可動部材３３５は、第一可動部材３３１と同様に前面部及び側面部を具備し、発光部材３２０の一部（より詳細には、発光部材３２０の右端部）を前方及び側方から覆う。
第五可動部材３３５の前面部には透光部が設けられ、当該透光部は正面視においてアルファベットの「Ｃ」の文字の一部の形状を形成する。
【００５１】
図４及び図７から図９までに示す第一固定部材３３６は、発光部材３２０の一部を前方及び側方から覆うものである。
第一固定部材３３６は、第一可動部材３３１と同様に前面部及び側面部を具備し、発光部材３２０の一部（より詳細には、発光部材３２０の左右略中央上部）を前方及び側方から覆う。
第一固定部材３３６の前面部には透光部が設けられ、当該透光部は正面視においてアルファベットの「Ｂ」の文字の一部の形状を形成する。
【００５２】
図４、図７、図８及び図１０に示す第二固定部材３３７は、発光部材３２０の一部を前方及び側方から覆うものである。
第二固定部材３３７は、第一可動部材３３１と同様に前面部及び側面部を具備し、発光部材３２０の一部（より詳細には、発光部材３２０の右端部近傍下部）を前方及び側方から覆う。
第二固定部材３３７の前面部には透光部が設けられ、当該透光部は正面視においてアルファベットの「Ｃ」の文字の一部の形状を形成する。
【００５３】
上述の如く構成された可動役物３３０において、第一可動部材３３１、第二可動部材３３２、第三可動部材３３３、第四可動部材３３４、第五可動部材３３５、第一固定部材３３６及び第二固定部材３３７が互いに近接するように配置されている場合（図４参照）、可動役物３３０全体としては略直方体形状の部材を構成する。
【００５４】
また、上記各部材の隣り合う部材同士が対向する辺の形状は、正面視において同一形状となるように形成される。これによって、上記各部材が互いに近接するように配置されている場合、略直方体形状の部材にヒビが入っている状態を模すことができる。
【００５５】
また、上記各部材が互いに近接するように配置されている場合（図４参照）、当該各部材の前面部に形成された透光部が集合して、可動役物３３０全体としての前面には「ＡＢＣ」という文字列からなるキャラクタが構成される。
ここで、「キャラクタ」とは、性格や人格等、小説や映画等の登場人物、文字や記号等を広く意味するものである。
【００５６】
図７から図１１までに示す駆動機構３４０は、可動役物３３０を移動させるものである。駆動機構３４０は、主としてスライド部材３４１、後方ギヤ３４２、前方ギヤ３４３、第一アーム３４４、第一リンク部材３４５、第二リンク部材３４６、第三リンク部材３４７、第四リンク部材３４８、第二アーム３４９及び第五リンク部材３５０等を具備する。
【００５７】
図７から図１０までに示すスライド部材３４１は、長手方向を左右方向に向けて配置される略板状の部材である。スライド部材３４１は、その板面を前後方向に向けて、可動側本体の後方に配置される。
【００５８】
スライド部材３４１には、当該スライド部材３４１を前後方向に貫通する長孔３４１ａ・３４１ａが形成される。長孔３４１ａ・３４１ａは、その長手方向を左右方向に向けて形成される。長孔３４１ａ・３４１ａは、左右方向に互いに所定間隔（より詳細には、可動側本体３１０に設けられた案内軸３１２・３１２間の間隔と同じ間隔）をあけて配置される。当該長孔３４１ａ・３４１ａには、それぞれ可動側本体３１０に設けられた案内軸３１２・３１２が挿通される。これによって、スライド部材３４１は左右方向にのみ摺動可能となるように案内される。
【００５９】
スライド部材３４１の左上端部には、前方に向けて第一軸３４１ｂが突設される。
スライド部材３４１の右端部には、前方に向けて第二軸３４１ｃが突設される。
スライド部材３４１の左右略中央上部には、上方に向けてラック（歯）が形成される。
スライド部材３４１は、図示せぬスプリング（付勢部材）によって常時左方に向かって付勢される。
【００６０】
後方ギヤ３４２は、スライド部材３４１の左右略中央上方に配置され、当該スライド部材３４１に形成されたラックと歯合される。
【００６１】
前方ギヤ３４３は、後方ギヤ３４２と同一軸線上、かつ当該後方ギヤ３４２の前方に配置される。前方ギヤ３４３は、可動側本体３１０の前方かつ発光部材３２０の後方に配置され、当該可動側本体３１０を前後方向に貫通する軸によって後方ギヤ３４２と連動連結される。このようにして、前方ギヤ３４３及び後方ギヤ３４２は、可動側本体３１０に回動可能に支持される。
【００６２】
図８及び図９に示す第一アーム３４４は、略平板状の部材であり、その板面を前後方向に向けた状態で配置される。第一アーム３４４は、可動側本体３１０の前方かつ発光部材３２０の後方であって、前方ギヤ３４３の左側方に配置される。第一アーム３４４は、その長手方向を斜め方向（左上から右下）に向けて配置される。第一アーム３４４の長手方向中途部には、発光部材３２０に設けられた回動軸３２２が挿通されることにより、当該第一アーム３４４が回動可能に支持される。第一アーム３４４の一端（上端）には、スライド部材３４１の第一軸３４１ｂが回動可能に連結される。
【００６３】
第一リンク部材３４５は、略平板状の部材であり、その板面を前後方向に向けた状態で配置される。第一リンク部材３４５は、可動側本体３１０の前方かつ発光部材３２０の後方であって、第二可動部材３３２の概ね後方に配置される。
第一リンク部材３４５には、当該第一リンク部材３４５を前後方向に貫通する長孔３４５ａ・３４５ａが形成される。長孔３４５ａ・３４５ａは、その長手方向を斜め方向（右上から左下）に向けて形成される。当該長孔３４５ａ・３４５ａには、それぞれ発光部材３２０に設けられた案内軸３２１・３２１・・・が挿通される。これによって、第一リンク部材３４５は長孔３４５ａ・３４５ａの長手方向に沿って摺動可能となるように案内される。
第一リンク部材３４５の右上端部は、第一アーム３４４の他端（下端）に回動可能に連結される。第一リンク部材３４５の下端部は、第二可動部材３３２の側面部の後端にピンにより固定される。
【００６４】
図８、図９及び図１１に示す第二リンク部材３４６は、略平板状の部材であり、その板面を前後方向に向けた状態で配置される。第二リンク部材３４６は、可動側本体３１０の前方かつ発光部材３２０の後方であって、第一可動部材３３１の概ね後方に配置される。
第二リンク部材３４６には、当該第二リンク部材３４６を前後方向に貫通する長孔３４６ａ・３４６ａが形成される。長孔３４６ａ・３４６ａは、その長手方向を略左右方向に向けて形成される。当該長孔３４６ａ・３４６ａには、それぞれ発光部材３２０に設けられた案内軸３２１・３２１・・・が挿通される。これによって、第二リンク部材３４６は長孔３４６ａ・３４６ａの長手方向に沿って摺動可能となるように案内される。
第二リンク部材３４６の右端部は、第一リンク部材３４５の左上端部に摺動可能に連結される。第二リンク部材３４６の上端部及び下端部は、第一可動部材３３１の側面部３３１ｂの後端にそれぞれピン３４６ｂ・３４６ｂにより固定される。
【００６５】
図８及び図９に示す第三リンク部材３４７は、略平板状の部材であり、その板面を前後方向に向けた状態で配置される。第三リンク部材３４７は、可動側本体３１０の前方かつ発光部材３２０の後方であって、第三可動部材３３３の概ね後方に配置される。
第三リンク部材３４７には、当該第三リンク部材３４７を前後方向に貫通する長孔３４７ａ・３４７ａが形成される。長孔３４７ａ・３４７ａは、その長手方向を上下方向に向けて形成される。当該長孔３４７ａ・３４７ａには、それぞれ発光部材３２０に設けられた案内軸３２１・３２１・・・が挿通される。これによって、第三リンク部材３４７は長孔３４７ａ・３４７ａの長手方向に沿って摺動可能となるように案内される。
第三リンク部材３４７の左上端部には、右方に向けてラック（歯）が形成され、当該ラックは、前方ギヤ３４３と歯合される。第三リンク部材３４７の下端部は、第三可動部材３３３の側面部の後端にピンにより固定される。
【００６６】
図８及び図１０に示す第四リンク部材３４８は、略平板状の部材であり、その板面を前後方向に向けた状態で配置される。第四リンク部材３４８は、可動側本体３１０の前方かつ発光部材３２０の後方であって、第四可動部材３３４の概ね後方に配置される。
第四リンク部材３４８には、当該第四リンク部材３４８を前後方向に貫通する長孔３４８ａ・３４８ａが形成される。長孔３４８ａ・３４８ａは、その長手方向を斜め方向（右上から左下）に向けて形成される。当該長孔３４８ａ・３４８ａには、それぞれ発光部材３２０に設けられた案内軸３２１・３２１・・・が挿通される。これによって、第四リンク部材３４８は長孔３４８ａ・３４８ａの長手方向に沿って摺動可能となるように案内される。
第四リンク部材３４８の左端部には、左上方に向けてラック（歯）が形成され、当該ラックは、前方ギヤ３４３と歯合される。第四リンク部材３４８の上端部は、第四可動部材３３４の側面部の後端にピンにより固定される。
【００６７】
第二アーム３４９は、略平板状の部材であり、その板面を前後方向に向けた状態で配置される。第二アーム３４９は、可動側本体３１０の前方かつ発光部材３２０の後方であって、前方ギヤ３４３の右側方に配置される。第二アーム３４９は、その長手方向を斜め方向（左上から右下）に向けて配置される。第二アーム３４９の一端部（下端部）には、発光部材３２０に設けられた回動軸３２２が挿通されることにより、当該第二アーム３４９が回動可能に支持される。第二アーム３４９の他端（上端）には、スライド部材３４１の第二軸３４１ｃが回動可能に連結される。
【００６８】
第五リンク部材３５０は、略平板状の部材であり、その板面を前後方向に向けた状態で配置される。第五リンク部材３５０は、可動側本体３１０の前方かつ発光部材３２０の後方であって、第五可動部材３３５の概ね後方に配置される。
第五リンク部材３５０には、当該第五リンク部材３５０を前後方向に貫通する長孔３５０ａ・３５０ａ・・・が形成される。長孔３５０ａ・３５０ａ・・・は、その長手方向を略左右方向に向けて形成される。当該長孔３５０ａ・３５０ａ・・・には、それぞれ発光部材３２０に設けられた案内軸３２１・３２１・・・が挿通される。これによって、第五リンク部材３５０は長孔３５０ａ・３５０ａ・・・の長手方向に沿って摺動可能となるように案内される。
第五リンク部材３５０の左端部は、第二アーム３４９の長手方向中途部に回動可能であって摺動可能に連結される。第五リンク部材３５０の上端部及び下端部は、第五可動部材３３５の側面部の後端にピンにより固定される。
【００６９】
上述の如く駆動機構３４０を構成することで、当該駆動機構３４０は、発光部材３２０及び可動役物３３０の後方に配置されることになる。
【００７０】
図７、図１３及び図１４に示す運動部３６０は、駆動機構３４０の外部からの駆動力を、当該駆動機構３４０に伝達するためのものである。運動部３６０は、主として固定部３６１及び軸部３６２等を具備する。
【００７１】
固定部３６１は、略平板状の部分であり、その板面を前後方向に向けた状態で配置される。
軸部３６２は、固定部３６１の背面の左右中央から後方に向かって突設される。
【００７２】
上述の如く構成された運動部３６０において、その固定部３６１は、駆動機構３４０のスライド部材３４１の背面の左下部に固定される。
【００７３】
次に、運動部移動手段としての可動部移動手段４００の構成について説明する。
【００７４】
図６及び図１２に示す可動部移動手段４００は、可動部３００を固定部２００に対して近接離間する方向に移動させるものである。可動部移動手段４００は、主として移動モータ４１０、出力ギヤ４２０、回動アーム４３０、スライド部材４４０、第一上部アーム４５０、第一下部アーム４６０、第一連結軸４７０、第二上部アーム４８０、第二下部アーム４９０、第二連結軸５００及びセンサ５１０等を具備する。
【００７５】
移動モータ４１０は、その出力軸を前方に向けた状態で、移動モータ支持部２２０（図５参照）に固定される。
出力ギヤ４２０は、移動モータ４１０の出力軸に固定される。
【００７６】
回動アーム４３０は、略平板状の部材であり、その板面を前後方向に向けた状態で配置される。回動アーム４３０は、その長手方向を斜め方向（右上から左下）に向けて配置される。回動アーム４３０の一端（右上端）は略半円形状に形成され、当該回動アーム４３０は当該半円形の中心部に設けられる軸を介して固定部２００に回動可能に支持される。回動アーム４３０の一端にはギヤ（歯）が形成され、当該ギヤは出力ギヤ４２０に歯合される。
【００７７】
スライド部材４４０は、略平板状の部材であり、その板面を前後方向に向けた状態で配置される。スライド部材４４０は、その長手方向を左右方向に向けて配置される。
スライド部材４４０には、当該スライド部材４４０を前後方向に貫通する長孔４４１・４４１が形成される。長孔４４１・４４１は、その長手方向を左右方向に向けて形成される。長孔４４１・４４１は、左右方向に互いに所定間隔（より詳細には、固定側本体２１０に設けられた案内軸２１１・２１１間の間隔と同じ間隔）をあけて配置される。当該長孔４４１・４４１には、それぞれ固定側本体２１０に設けられた案内軸２１１・２１１が挿通される。これによって、スライド部材４４０は左右方向にのみ摺動可能となるように案内される。
スライド部材４４０の左端部近傍は、回動アーム４３０の他端（左下端）と回動可能であって摺動可能に連結される。より詳細には、回動アーム４３０の他端に設けられたピンを、スライド部材４４０の左端部近傍に形成された上下に長い長孔に挿通することにより、当該回動アーム４３０とスライド部材４４０とが連結される。
【００７８】
第一上部アーム４５０は、略平板状の部材であり、その板面を前後方向に向けた状態で配置される。第一上部アーム４５０は、その長手方向を略上下方向に向けて配置される。第一上部アーム４５０の一端（上端）は、スライド部材４４０の左端部と回動可能に連結される。
【００７９】
第一下部アーム４６０は、略平板状の部材であり、その板面を前後方向に向けた状態で配置される。第一下部アーム４６０は、その長手方向を左右方向に向けて配置される。第一下部アーム４６０の一端（左端）は、第一アーム連結軸４６１を介して第一上部アーム４５０の他端（下端）と相対回転不能となるように連結される。第一アーム連結軸４６１は、適宜固定部２００に回動可能に支持される。
【００８０】
第一連結軸４７０は、第一下部アーム４６０の他端（右端）から前方に突設される。第一連結軸４７０の前端は、可動側本体３１０に形成された左側の長孔３１１に挿通される。
【００８１】
第二上部アーム４８０は、略平板状の部材であり、その板面を前後方向に向けた状態で配置される。第二上部アーム４８０は、その長手方向を略上下方向に向けて配置される。第二上部アーム４８０の一端（上端）は、スライド部材４４０の右端部と回動可能に連結される。
第二上部アーム４８０の形状は、第一上部アーム４５０と同一となるように形成される。
【００８２】
第二下部アーム４９０は、略平板状の部材であり、その板面を前後方向に向けた状態で配置される。第二下部アーム４９０は、その長手方向を左右方向に向けて配置される。第二下部アーム４９０の一端（左端）は、第二アーム連結軸４９１を介して第二上部アーム４８０の他端（下端）と相対回転不能となるように連結される。第二アーム連結軸４９１は、適宜固定部２００に回動可能に支持される。
第二下部アーム４９０の形状は、第一下部アーム４６０と同一となるように形成される。
【００８３】
第二連結軸５００は、第二下部アーム４９０の他端（右端）から前方に突設される。第二連結軸５００の前端は、可動側本体３１０に形成された右側の長孔３１１に挿通される。
【００８４】
センサ５１０は、回動アーム４３０の左上方に配置される。センサ５１０は、回動アーム４３０に形成される検出片が近接したことを検出することで、当該回動アーム４３０が所定の角度に回動したことを検出することができる。
【００８５】
次に、伝達機構６００の構成について説明する。
【００８６】
図１３から図１６までに示す伝達機構６００は、固定部２００に設けられた伝達モータ２５０からの回転動力を運動部３６０に伝達するものである。伝達機構６００は、主として伝達ギヤ６１０、回転部材６２０、伝達軸６３０、アーム６４０、支点軸６５０及びセンサ６６０等を具備する。
【００８７】
伝達ギヤ６１０は、伝達モータ２５０の出力軸２５１に固定される。
【００８８】
回転部材６２０は、略円形平板状の部材である。回転部材６２０は、伝達ギヤ６１０の概ね下方に配置され、回動軸６２１を介して固定部２００に回動可能に支持される。
回転部材６２０の外周部にはギヤ（歯）が形成され、当該ギヤは伝達ギヤ６１０と歯合される。
【００８９】
伝達軸６３０は、回転部材６２０の前面から前方に向かって突設される。伝達軸６３０は、回転部材６２０の回転中心（回動軸６２１）から所定距離離れた位置に立設される。
【００９０】
アーム６４０は、略直方体状の部材である。アーム６４０は、その長手方向を斜め方向（右上から左下）に向けて配置される。アーム６４０は、図示せぬスプリング（付勢部材）によって常時右上方（アーム６４０の長手方向に沿った上方）に向かって付勢される。アーム６４０には、伝達軸用長溝６４１、支点軸用長溝６４２及び運動部用長溝６４３が形成される。
【００９１】
伝達軸用長溝６４１は、アーム６４０の背面に形成される。伝達軸用長溝６４１は、その長手方向をアーム６４０の長手方向（延出方向）に向けて、当該アーム６４０の上端部近傍から当該アーム６４０の上下中央部よりやや上方にわたって形成される。
伝達軸用長溝６４１には、後方から伝達軸６３０が挿通される。
【００９２】
支点軸用長溝６４２は、アーム６４０の前面に形成される。支点軸用長溝６４２は、その長手方向をアーム６４０の長手方向（延出方向）に向けて、当該アーム６４０の上端部近傍から当該アーム６４０の上下中央部よりやや下方にわたって形成される。
伝達軸用長溝６４１と支点軸用長溝６４２とが正面視において重複する部分においては、当該伝達軸用長溝６４１及び支点軸用長溝６４２によってアーム６４０が前後方向に貫通されることになる。
【００９３】
運動部用長溝６４３は、アーム６４０の前面に形成される。運動部用長溝６４３は、その長手方向をアーム６４０の長手方向（延出方向）に向けて、当該アーム６４０の下端部近傍から当該アーム６４０の上下中央部よりやや下方（支点軸用長溝６４２のすぐ下方）にわたって形成される。
運動部用長溝６４３には、前方から運動部３６０の軸部３６２が挿通される。
【００９４】
支点軸６５０は、アーム６４０の回動支点となるものである。支点軸６５０は、固定部２００（より詳細には、移動モータ支持部２２０）の背面から後方に向かって突設される。
支点軸６５０は、アーム６４０の支点軸用長溝６４２に前方から挿通される。
【００９５】
センサ６６０は、伝達ギヤ６１０の右上方に配置される。センサ６６０は、伝達ギヤ６１０に形成される検出片が近接したことを検出することで、当該伝達ギヤ６１０が所定の角度に回動したことを検出することができる。
【００９６】
以下では、上述の如く構成された可動演出装置１００の動作態様について説明する。
【００９７】
まず、可動演出装置１００が図３、図４及び図１２に示す状態にある場合について説明する。
【００９８】
この状態においては、可動部３００は固定部２００に最も近接する位置（固定部２００に対して最も上方に移動した位置）にある。この可動演出装置１００の状態を、以下では単に「近接状態」と記す。
【００９９】
近接状態においては、可動部３００は液晶画面２６の上部前方に位置している。また、可動役物３３０を構成する第一可動部材３３１等の各部材は互いに近接し、可動役物３３０全体として略直方体の部材を構成している。この場合においては、可動役物３３０の前面には「ＡＢＣ」という文字列からなるキャラクタが構成されるとともに、当該可動役物３３０にヒビが入ったような形状を模すことができる。また、この状態において発光部材３２０を発光させることで、可動役物３３０の「ＡＢＣ」という文字列（透光部）を発光させ、遊技者に「ＡＢＣ」の文字列（キャラクタ）の印象を強く与えることができる。
【０１００】
次に、近接状態から可動部移動手段４００を作動させた場合について説明する。
【０１０１】
図１７に示すように、可動部移動手段４００の移動モータ４１０を作動させ、出力ギヤ４２０（図６参照）を背面視反時計回りに回転させると、回動アーム４３０は背面視時計回りに回転する。回動アーム４３０が回転すると、当該回動アーム４３０に連結されたスライド部材４４０が右方に摺動する。この際、スライド部材４４０は案内軸２１１・２１１によって案内されているため、真っ直ぐ右方に向かって摺動する。
【０１０２】
スライド部材４４０が右方に摺動すると、当該スライド部材４４０に連結された第一上部アーム４５０及び第二上部アーム４８０が、それぞれ第一アーム連結軸４６１及び第二アーム連結軸４９１を中心として背面視反時計回りに回転する。第一上部アーム４５０及び第二上部アーム４８０が回転すると、当該第一上部アーム４５０及び第二上部アーム４８０にそれぞれ連結された第一下部アーム４６０及び第二下部アーム４９０も背面視反時計回りに回転する。
【０１０３】
第一下部アーム４６０及び第二下部アーム４９０が背面視反時計回りに回転することによって、当該第一下部アーム４６０及び第二下部アーム４９０の右端部は固定部２００に対して下方に移動することになる。これによって、当該第一下部アーム４６０及び第二下部アーム４９０の右端部に連結された可動側本体３１０が固定部２００に対して下方に移動することになり、ひいては運動部３６０（図２１等参照）を含む可動部３００全体が固定部２００に対して下方に（すなわち、固定部２００から離間する方向に）移動する（図１８参照）。
【０１０４】
この際、図１９に示すように、可動部３００は、スライド機構２４０によって移動方向を案内されているため、当該可動部３００は固定部２００に対して真っ直ぐ左下方へと移動する（図１８及び図１９参照）。このようにして、図１８から図２０までに示すように、可動部３００が固定部２００に対して最も下方に移動したときの可動演出装置１００の状態を、以下では単に「離間状態」と記す。
【０１０５】
図２０に示すように、離間状態においては、可動部３００は液晶画面２６の上部から中央寄りに移動した位置にある。このように、近接状態から離間状態に遷移し、液晶画面２６の中央付近に可動部３００を移動させることで、遊技者の注意を可動部３００に向けることができる。
【０１０６】
また、図２１に示すように、可動演出装置１００が近接状態から離間状態に遷移した場合、可動部３００の運動部３６０も固定部２００に対して下方（離間する方向）に移動している。
【０１０７】
この場合、図２２に示すように、運動部３６０の軸部３６２が、アーム６４０の運動部用長溝６４３の下端に当接するとともに下方に向かって押圧するため、当該運動部３６０とともにアーム６４０も下方に移動する。この際、アーム６４０の伝達軸用長溝６４１及び支点軸用長溝６４２には、それぞれ伝達軸６３０及び支点軸６５０が挿通されているため、当該アーム６４０はこれら長溝の長手方向（すなわち、アーム６４０の延出方向）に沿って下方に摺動する。このようにして、近接状態（図１６参照）から離間状態（図２２参照）に遷移すると、アーム６４０に対する支点軸６５０の位置が上方へと移動する。
【０１０８】
次に、離間状態から伝達モータ２５０を作動させた場合について説明する。
【０１０９】
図２３に示すように、伝達モータ２５０を作動させ、伝達ギヤ６１０を背面視時計回り（正面視反時計回り）に回転させると、当該伝達ギヤ６１０と歯合した回転部材６２０は背面視反時計回りに回転する。回転部材６２０が回転すると、当該回転部材６２０に設けられた伝達軸６３０は概ね左方に向かって移動する。これによって、当該伝達軸６３０はアーム６４０の上部を左方に向かって押圧することになり、当該アーム６４０は支点軸６５０を中心として背面視時計回り（正面視反時計回り）に回転する。
【０１１０】
アーム６４０が背面視時計回りに回転すると、当該アーム６４０の下端部に連結された運動部３６０は右方に移動する（すなわち、可動部移動手段４００による動き（固定部２００に対して下方に移動する動き）とは「異なる動き」をする）。運動部３６０が右方に移動すると、図２４に示すように、当該運動部３６０が固定されたスライド部材３４１も右方に摺動する。この際、スライド部材３４１は案内軸３１２・３１２によって案内されているため、真っ直ぐ右方に向かって摺動する。
【０１１１】
図２５及び図２６に示すように、スライド部材３４１が右方に摺動すると、当該スライド部材３４１と連結された第一アーム３４４が背面視反時計回りに回転する。第一アーム３４４が回転すると、当該第一アーム３４４と連結された第一リンク部材３４５が、長孔３４５ａ・３４５ａ（図９参照）の長手方向に沿って左下方へと摺動する。これによって、当該第一リンク部材３４５に固定された第二可動部材３３２も左下方へと摺動する。
【０１１２】
また、第一リンク部材３４５が左下方へと摺動すると、当該第一リンク部材３４５と連結された第二リンク部材３４６が、長孔３４６ａ・３４６ａ（図９参照）の長手方向に沿って概ね左方へと摺動する。これによって、当該第二リンク部材３４６に固定された第一可動部材３３１も概ね左方へと摺動する。
【０１１３】
また、スライド部材３４１が右方に摺動すると、当該スライド部材３４１のラックと歯合した後方ギヤ３４２及び当該後方ギヤ３４２と連結された前方ギヤ３４３が背面視時計回りに回転する。
【０１１４】
前方ギヤ３４３が回転すると、当該前方ギヤ３４３と歯合したラックを介して、第三リンク部材３４７が長孔３４７ａ・３４７ａ（図９参照）の長手方向に沿って下方へと摺動する。これによって、当該第三リンク部材３４７に固定された第三可動部材３３３も下方へと摺動する。
【０１１５】
また、前方ギヤ３４３が回転すると、当該前方ギヤ３４３と歯合したラックを介して、第四リンク部材３４８が長孔３４８ａ・３４８ａ（図１０参照）の長手方向に沿って右上方へと摺動する。これによって、当該第四リンク部材３４８に固定された第四可動部材３３４も右上方へと摺動する。
【０１１６】
また、スライド部材３４１が右方に摺動すると、当該スライド部材３４１と連結された第二アーム３４９が背面視半時計回りに回転する。第二アーム３４９が回転すると、当該第二アーム３４９と連結された第五リンク部材３５０が、長孔３５０ａ・３５０ａ・・・（図１０参照）の長手方向に沿って概ね右方へと摺動する。これによって、当該第五リンク部材３５０に固定された第五可動部材３３５も概ね右方へと摺動する。
【０１１７】
上述の如く、伝達モータ２５０を作動させ、当該伝達モータ２５０の回転動力を伝達機構６００を介して運動部３６０に伝達することで、図２７及び図２８に示すように、可動役物３３０の各可動部材をそれぞれ発光部材３２０に対して所定の方向に移動させることができる。このように、可動役物３３０の各可動部材が所定の方向に摺動したときの可動演出装置１００の状態を、以下では単に「役物作動状態」と記す。
【０１１８】
図２７及び図２９に示すように、役物作動状態においては、可動役物３３０の各可動部材及び各固定部材が互いに離間するように移動している。これによって、近接状態や離間状態で可動役物３３０に入っていたヒビから当該可動役物３３０及び「ＡＢＣ」の文字列からなるキャラクタが割れたような演出を行うことができ、遊技者に印象（インパクト）を与えることができる。
【０１１９】
また、役物作動状態においては、発光部材３２０のうち、可動役物３３０と対向しない部分、すなわちヒビ割れた部分のみを発光させることで、可動役物３３０が割れた印象を強調し、遊技者により強い印象を与えることができる。
【０１２０】
ここで、上記説明において、離間状態から伝達モータ２５０を作動させた場合、運動部３６０は可動部移動手段４００による動きとは「異なる動き」をするものとした。当該「異なる動き」とは、運動部３６０の動作前の位置、動作後の位置及び動作する際の移動経路の少なくとも１つが、可動部移動手段４００による動きとは異なるような動きを言うものとする。
例えば、動作前後の位置がいずれも同じであっても、動作する際の移動経路が異なれば異なる動きであり、動作する際の移動経路の一部が重複していても、動作前後の位置の少なくとも一方が異なれば異なる動きである。
【０１２１】
なお、可動演出装置１００が役物作動状態にある場合において、伝達モータ２５０を上述とは逆方向に作動させると（すなわち、アーム６４０（図２３等参照）を支点軸６５０を中心として背面視反時計回りに回転させると）、当該可動演出装置１００を役物作動状態から離間状態に再び遷移させることができる。
また、可動演出装置１００が離間状態にある場合において、移動モータ４１０を上述とは逆方向に作動させると（すなわち、スライド部材４４０（図１７等参照）を左方に摺動させると）、当該可動演出装置１００を離間状態から近接状態に再び遷移させることができる。
【０１２２】
以上の如く、本実施形態に係る遊技機１の可動演出装置１００は、前面を発光させることが可能な発光部材３２０と、発光部材３２０の前面及び側面を覆うように配置され、少なくとも一部が光透過性を有する可動役物３３０と、発光部材３２０よりも後方に配置され、可動役物３３０を移動させる駆動機構３４０と、を具備し、可動役物３３０は複数の可動部材（第一可動部材３３１、第二可動部材３３２、第三可動部材３３３、第四可動部材３３４及び第五可動部材３３５）を備え、前記各可動部材は、発光部材３２０の前面を覆う前面部（例えば、第一可動部材３３１の前面部３３１ａ）及び発光部材３２０の側面を覆う側面部（例えば、第一可動部材３３１の側面部３３１ｂ）を具備し、前記各可動部材の側面部と駆動機構３４０とが連結され、当該駆動機構３４０を駆動させることにより、前記各可動部材をそれぞれ発光部材３２０に対して所定の方向に移動させるものである。
このように構成することで、発光部材３２０よりも後方に、可動役物３３０（可動部材）を移動させるための駆動機構３４０を配置することにより、当該駆動機構３４０によって発光部材３２０から可動役物３３０に照射される光が遮られるのを防止することができる。
また、発光部材３２０を固定側（可動しない部材）に配置しているため、配線の取り回しを容易にすることができる。
【０１２３】
また、本実施形態に係る遊技機１の可動演出装置１００は、固定部２００と、固定部２００に対して移動可能に支持される運動部３６０と、運動部３６０を固定部２００に対して近接離間する方向に移動させる可動部移動手段４００（運動部移動手段）と、固定部２００に設けられた伝達モータ２５０（駆動源）からの回転動力を運動部３６０に伝達する伝達機構６００と、を具備し、可動部移動手段４００によって運動部３６０を固定部２００に対して近接離間させるとともに、伝達モータ２５０から伝達機構６００を介して伝達される回転動力によって運動部３６０に可動部移動手段４００による動きとは異なる動きをさせる遊技機１の可動演出装置１００であって、伝達機構６００は、伝達モータ２５０の出力軸２５１に連結される回転部材６２０と、回転部材６２０の回動軸６２１から所定距離離れた位置に立設される伝達軸６３０と、一端側を伝達軸６３０と連結されると共に、他端側を運動部３６０と連結されるアーム６４０と、固定部２００に設けられると共に、アーム６４０の一端側と他端側との間に配置され、当該アーム６４０の回動支点となる支点軸６５０と、を具備し、アーム６４０の一端側には伝達軸６３０がアーム６４０の延出方向に摺動可能となるように挿通される伝達軸用長溝６４１が形成されるとともに、アーム６４０の一端側と他端側との間には支点軸６５０がアーム６４０の延出方向に摺動可能となるように挿通される支点軸用長溝６４２が形成され、運動部３６０が固定部２００に対して近接離間する方向に移動した場合に、伝達軸６３０が伝達軸用長溝６４１内を摺動するとともに支点軸６５０が支点軸用長溝６４２内を摺動するものである。
このように構成することにより、固定部２００に対して近接離間する運動部３６０（近接状態の運動部３６０及び離間状態の運動部３６０の両方）に、固定部２００に設けられた伝達モータ２５０からの回転動力を伝達することができる。また、可動する部材（運動部３６０）に駆動源を設ける必要がないため、当該運動部３６０が固定部２００に対して近接離間する際の負荷を軽減することができる。
【０１２４】
なお、上述の如く、伝達機構６００は可動演出装置１００が離間状態にある場合に、伝達モータ２５０からの回転動力を運動部３６０に伝達するものとした（図２３等参照）が、可動演出装置１００が近接状態にある場合に伝達することも可能である。
【０１２５】
可動演出装置１００が近接状態にある場合（図３０（ａ）参照）においては、可動演出装置１００が離間状態にある場合（図３０（ｂ）参照）に比べて、アーム６４０の回動支点となる支点軸６５０からアーム６４０の下端までの距離Ｌが短くなる。従って、伝達モータ２５０を同じ量だけ回転させた場合（すなわち、回転部材６２０を同じ量だけ回転させた場合）であっても、近接状態においては離間状態に比べてアーム６４０の下端の移動量が小さくなる。
【０１２６】
このように、伝達モータ２５０を同じ量だけ回転させた場合であっても、近接状態と離間状態とでアーム６４０の下端の移動量を変化させ、ひいては運動部３６０の移動量を変化させることができる。これによって、例えば、可動演出装置１００が近接状態にある場合には、図３１（ａ）に示すように、可動役物３３０の各可動部材を少しだけ移動させ、今にも割れそうな演出を行い、可動演出装置１００が離間状態にある場合には、図３１（ｂ）に示すように、可動役物３３０の各可動部材を大きく移動させ、当該可動役物３３０が割れて各可動部材が飛び散ったような演出を行うことができる。
【０１２７】
また、本実施形態においては、伝達機構６００によって伝達モータ２５０からの回転動力を運動部３６０に伝達し、可動役物３３０を作動させるものとしたが、本発明はこれに限るものではない。例えば、図３２に示すように、伝達機構６００のアーム６４０の下端に装飾部材７００を設け、伝達モータ２５０からの回転動力によって当該装飾部材７００を運動（移動）させる構成とすることも可能である。
【０１２８】
また、本実施形態においては、可動演出装置１００が役物作動状態にある場合には、可動役物３３０の各可動部材が外側に広がるように移動し、当該可動役物３３０の前面に形成された「ＡＢＣ」の文字列からなるキャラクタ（透光部）が正面視において発光部材３２０と重複しない位置まで移動するものであった（図２７に示す第三可動部材３３３や第四可動部材３３４の透光部等）。
【０１２９】
しかし、例えば、図３３に示すように、可動演出装置１００が役物作動状態に遷移する前（図３３（ａ）参照）と遷移した後（図３３（ｂ）参照）とで常にキャラクタ（透光部）が正面視において発光部材３２０と重複するように構成することも可能である。
図３３に示す場合、第一可動部材３３１の透光部３３１ｃ、第五可動部材３３５の透光部３３５ｃ及び第二固定部材３３７の透光部３３７ｃが常に発光部材３２０の正面に位置する。このため、当該発光部材３２０のうち前記透光部と対向する部分を発光させることで、可動演出装置１００が役物作動状態に遷移する前後で常に「ＤＥ」の文字列からなるキャラクタを発光させることができる。
【０１３０】
また、本実施形態においては、発光部材３２０は略直方体状に形成されるものとしたが、図３４に示すように、断面視において台形状となるように形成することも可能である。このように構成することで、例えば図３４（ａ）に示すように第四可動部材３３４の透光部３３４ｃが正面視において発光部材３２０と重複しない位置まで移動した場合であっても、当該発光部材３２０の側面（図３４（ｂ）における台形の斜辺部分）から斜め方向に光を照射し、透光部３３４ｃに光を導くことができる。これによって、可動演出装置１００が役物作動状態に遷移した場合であっても、キャラクタ（透光部）を適切に発光させることができる。
【０１３１】
なお、可動役物３３０の形状は、本実施形態の如く正面視長方形状に限るものではなく、円形状やその他の多角形状等であっても良い。
また、駆動機構３４０は本実施形態の構成に限るものではなく、発光部材３２０よりも後方に配置され、可動役物３３０を移動させることが可能なものであれば良い。
また、可動役物３３０の側面部は、本実施形態の如く板状の部分に限るものではなく、発光部材３２０の後方まで延設される円柱形状のリブ等としても良い。
【０１３２】
また、本実施形態においては、可動部移動手段４００（運動部移動手段）によって可動部３００を下方に移動させることによって、運動部３６０を介して伝達機構６００のアーム６４０を下方に摺動させるものとしたが、例えば運動部移動手段を伝達機構６００のアーム６４０を直接下方に摺動させる機構としても良い。
【０１３３】
また、可動部３００の移動方向は本実施形態に限定するものではない。
【０１３４】
また、可動役物３３０の各可動部材は「所定の方向」に移動するものとしたが、当該所定の方向とは、本実施形態の如く正面視において発光部材３２０に対して外側に散らばるような方向だけではなく、発光部材３２０に対して内側に集中するような方向等も含むものとする。
また、各可動部材が発光部材３２０に対して内側に集中するような方向に移動する場合とは、もともと割れて散らばっていた各可動部材が内側に集中して一つのかたまりになる場合だけでなく、もともと一つのかたまりになっていた各可動部材が、さらに内側に集中してより小さなかたまりになる場合等も含むものとする。
また、各可動部材が発光部材３２０に対して内側に集中するような方向に移動する場合には、当該各可動部材と発光部材３２０とが衝突（干渉）しないように、当該各可動部材と発光部材３２０とは十分な距離だけ離間しているものとする。
【符号の説明】
【０１３５】
１：遊技機，６：遊技盤，１００：可動演出装置，２００：固定部，２５０：伝達モータ，３００：可動部，３２０：発光部材，３３０：可動役物，３３１：第一可動部材，３３１ａ：前面部，３３１ｂ：側面部，３３１ｃ：透光部，３３２：第二可動部材，３３３：第三可動部材，３３４：第四可動部材，３３５：第五可動部材，３４０：駆動機構，３６０：運動部，４００：可動部移動手段，６００：伝達機構，６２０：回転部材，６３０：伝達軸，６４０：アーム，６５０：支点軸
【図１】
2015003208.tif 000003
【図２】
2015003208.tif 000004
【図３】
2015003208.tif 000005
【図４】
2015003208.tif 000006
【図５】
2015003208.tif 000007
【図６】
2015003208.tif 000008
【図７】
2015003208.tif 000009
【図８】
2015003208.tif 000010
【図９】
2015003208.tif 000011
【図１０】
2015003208.tif 000012
【図１１】
2015003208.tif 000013
【図１２】
2015003208.tif 000014
【図１３】
2015003208.tif 000015
【図１４】
2015003208.tif 000016
【図１５】
2015003208.tif 000017
【図１６】
2015003208.tif 000018
【図１７】
2015003208.tif 000019
【図１８】
2015003208.tif 000020
【図１９】
2015003208.tif 000021
【図２０】
2015003208.tif 000022
【図２１】
2015003208.tif 000023
【図２２】
2015003208.tif 000024
【図２３】
2015003208.tif 000025
【図２４】
2015003208.tif 000026
【図２５】
2015003208.tif 000027
【図２６】
2015003208.tif 000028
【図２７】
2015003208.tif 000029
【図２８】
2015003208.tif 000030
【図２９】
2015003208.tif 000031
【図３０】
2015003208.tif 000032
【図３１】
2015003208.tif 000033
【図３２】
2015003208.tif 000034
【図３３】
2015003208.tif 000035
【図３４】
2015003208.tif 000036